(57)【要約】【課題】自車両の進入領域における移動体の移動形態に応じた案内情報を確実に把握することが可能となる、案内制御装置、案内制御方法、及び案内制御プログラムを提供すること。【解決手段】案内制御装置１０は、他車両の走行形態が相異する複数領域間の境界の位置を特定する境界情報と自車両状態とに応じて、複数領域のうち自車両が進入する進入領域を特定し、特定した進入領域における他車両の走行形態を特定する車両走行形態特定部１１ａと、車両走行形態特定部１１ａによって特定された他車両の走行形態に応じた案内情報の出力制御を行う案内制御部１１ｂを備える。【選択図】図１
2010000969.tif 000002
【特許請求の範囲】
【請求項１】
移動体の移動形態が相異する複数領域間の境界の位置を特定する境界情報と自車両状態とに応じて、前記複数領域のうち自車両が進入する進入領域を特定し、当該特定した進入領域における移動体の移動形態を特定する移動体移動形態特定手段と、
前記移動体移動形態特定手段によって特定された移動体の移動形態に応じた案内情報の出力制御を行う案内制御手段と、
を備えることを特徴とする案内制御装置。
【請求項２】
前記境界情報は、地図情報又は前記自車両の進行方向の画像情報に含まれ、
前記移動体移動形態特定手段は、前記境界情報に基づき前記境界の位置を特定し、
前記案内制御手段は、前記移動体移動形態特定手段によって特定された前記進入領域の境界の位置を当該自車両が越える前に、前記進入領域に関する前記案内情報の出力制御を行うこと、
を特徴とする請求項１に記載の案内制御装置。
【請求項３】
前記移動体移動形態特定手段は、前記進入領域の境界と前記自車両との距離を特定し、
前記案内制御手段は、前記移動体移動形態特定手段によって特定された前記進入領域の境界と前記自車両との距離が所定の距離未満となった場合に、前記進入領域に関する前記案内情報の出力制御を行うこと、
を特徴とする請求項２に記載の案内制御装置。
【請求項４】
前記案内情報は、前記自車両周辺の画像情報であり、
前記案内制御手段は、前記進入領域に関する前記画像情報が強調表示されるように出力制御を行うこと、
を特徴とする請求項１から３のいずれか一項に記載の案内制御装置。
【請求項５】
移動体の移動形態が相異する複数領域間の境界の位置を特定する境界情報と自車両状態とに応じて、前記複数領域のうち自車両が進入する進入領域を特定し、当該特定した進入領域における移動体の移動形態を特定する移動体移動形態特定ステップと、
前記移動体移動形態特定ステップによって特定された移動体の移動形態に応じた案内情報の出力制御を行う案内制御ステップと、
を含むことを特徴とする案内制御方法。
【請求項６】
請求項５に記載の方法をコンピュータに実行させることを特徴とする案内制御プログラム。
【発明の詳細な説明】
【技術分野】
【０００１】
本発明は、案内制御装置、案内制御方法、及び案内制御プログラムに関し、特に、運転者に対する案内情報の出力制御を行う、案内制御装置、案内制御方法、及び案内制御プログラムに関する。
【背景技術】
【０００２】
近年、車両の運転支援のための各種の案内情報を運転者に提示する案内制御装置が用いられている。この案内制御装置は、ＣＣＤカメラや赤外線センサ等の各種センサを用いて自車両の周囲状況を監視し、液晶モニタや音声出力装置等を介して必要な情報を運転者に出力する。
【０００３】
例えば、ドライバーの駐車操作を支援するため、車両周辺の映像を表示して駐車操作を支援する駐車支援装置が提案されている。この駐車支援装置は、自車両の駐車状態に基づいて設定された表示パターンに基づき、車両の周囲の景色を撮像する複数のカメラの中から、表示装置に映像を表示させるカメラの切り替えを行う（例えば、特許文献１参照）。
【０００４】
【特許文献１】特開２００６−２９８１９５号公報（段落０００４）
【発明の開示】
【発明が解決しようとする課題】
【０００５】
しかしながら、上記特許文献１に記載の方法は、自車両を駐車させる場合において周囲の障害物の把握を容易にすることを目的とし、操舵角や車速等の自車両自体の状態に基づいて必要な映像を選択表示させるものであるため、運転者が注意を払うべき他車両や歩行者等が自車両に対してどの方向から接近してくるかについては何ら考慮が払われていなかった。このため、複数のカメラやセンサによって取得された自車両の周囲状況を示す情報の中から、運転者の注意すべき情報を当該運転者が即座に正確に把握することが困難であった。
【０００６】
本発明は、上述した問題点を解決するためになされたものであり、自車両の進入領域における移動体の移動形態に応じた案内情報を確実に把握することが可能となる、案内制御装置、案内制御方法、及び案内制御プログラムを提供することを目的とする。
【課題を解決するための手段】
【０００７】
上述した課題を解決し、目的を達成するために、請求項１に記載の案内制御装置は、移動体の移動形態が相異する複数領域間の境界の位置を特定する境界情報と自車両状態とに応じて、前記複数領域のうち自車両が進入する進入領域を特定し、当該特定した進入領域における移動体の移動形態を特定する移動体移動形態特定手段と、前記移動体移動形態特定手段によって特定された移動体の移動形態に応じた案内情報の出力制御を行う案内制御手段とを備えることを特徴とする。
【０００８】
また、請求項２に記載の案内制御装置は、請求項１に記載の案内制御装置において、前記境界情報は、地図情報又は前記自車両の進行方向の画像情報に含まれ、前記移動体移動形態特定手段は、前記境界情報に基づき前記境界の位置を特定し、前記案内制御手段は、前記移動体移動形態特定手段によって特定された前記進入領域の境界の位置を当該自車両が越える前に、前記進入領域に関する前記案内情報の出力制御を行うことを特徴とする。
【０００９】
また、請求項３に記載の案内制御装置は、請求項２に記載の案内制御装置において、前記移動体移動形態特定手段は、前記進入領域の境界と前記自車両との距離を特定し、前記案内制御手段は、前記移動体移動形態特定手段によって特定された前記進入領域の境界と前記自車両との距離が所定の距離未満となった場合に、前記進入領域に関する前記案内情報の出力制御を行うことを特徴とする。
【００１０】
また、請求項４に記載の案内制御装置は、請求項１から３のいずれか一項に記載の案内制御装置において、前記案内情報は、前記自車両周辺の画像情報であり、前記案内制御手段は、前記進入領域に関する前記画像情報が強調表示されるように出力制御を行うことを特徴とする。
【００１１】
また、請求項５に記載の案内制御方法は、移動体の移動形態が相異する複数領域間の境界の位置を特定する境界情報と自車両状態とに応じて、前記複数領域のうち自車両が進入する進入領域を特定し、当該特定した進入領域における移動体の移動形態を特定する移動体移動形態特定ステップと、前記移動体移動形態特定ステップによって特定された移動体の移動形態に応じた案内情報の出力制御を行う案内制御ステップとを含むことを特徴とする。
【００１２】
また、請求項６に記載の案内制御プログラムは、請求項５に記載の方法をコンピュータに実行させることを特徴とする。
【発明の効果】
【００１３】
請求項１に記載の案内制御装置、請求項５に記載の案内制御方法、及び請求項６に記載の案内制御プログラムによれば、自車両の進入領域における移動体の移動形態に応じた案内情報の出力制御が行われるので、運転者は、移動体の移動形態に対応する情報を正確かつ確実に把握することができる。
【００１４】
また、移動体移動形態特定手段が、境界の位置と自車両状態とに応じて、自車両が進入する進入領域における移動体の移動形態を特定し、当該特定結果に応じた案内情報の出力制御を行うので、移動体の移動形態が異なる領域に自車両が進入する前後で移動体の移動形態が変動する場合においても、運転者は、当該移動体の移動形態に対応する情報を確実に把握することができる。
【００１５】
また、請求項２に記載の案内制御装置によれば、移動体移動形態特定手段は、地図情報又は自車両の進行方向の画像情報に含まれている境界情報に基づき境界の位置を特定するので、移動体の移動形態が変動する場所を正確に特定することができる。さらに、案内制御手段が、自車両の進入領域の境界の位置を自車両が越える前に案内情報の出力制御を行うので、運転者は、移動体の移動形態が変動する前に、当該移動体の移動形態に対応する情報を確実に把握することができる。
【００１６】
また、請求項３に記載の案内制御装置によれば、移動体移動形態特定手段は、自車両と境界との距離が所定の距離未満となった場合に案内情報の出力制御を行うので、運転者は、移動体の移動形態が変動する前に、確実に移動体の移動形態に対応する情報を把握することができる。
【００１７】
また、請求項４に記載の案内制御装置によれば、案内情報を、自車両周辺の画像情報とし、自車両の進入領域に関する当該画像情報を強調表示させるので、運転者は、当該画像情報に基づき移動体の移動形態に対応する案内情報を確実に把握することができる。
【発明を実施するための最良の形態】
【００１８】
以下、本発明に係る案内制御装置、案内制御方法、及び案内制御プログラムの各実施の形態について図面を参照しつつ詳細に説明する。ただし、各実施の形態によって本発明が限定されるものではない。
【００１９】
〔実施の形態１〕
最初に、実施の形態１について説明する。この形態は、移動体の移動形態が相異する複数領域間の境界の位置を特定する境界情報と自車両状態とに基づき、前記複数領域のうち自車両が進入する進入領域を特定するとともに、当該進入領域における移動体の移動形態を特定し、当該特定した移動体の移動形態に応じた案内情報の出力制御を行う形態である。ここで「移動体」とは、具体的には車両、自転車、及び歩行者を含む概念であり、「移動形態」とは、道路上の通行方向に応じて異なるこれらの移動体の移動の形態を意味している。本実施の形態では、移動体が他車両であり、移動形態が走行形態である場合について説明する。
【００２０】
（構成）
図１は実施の形態１に係る案内制御システムを例示するブロック図である。この案内制御システム１は、案内制御装置１０、現在地検出処理部２０、カメラ３０、車輪速センサ４０、ステアリングセンサ５０、シフトポジションセンサ６０、及びモニタ７０を備えている。
【００２１】
（構成−案内制御装置）
最初に、案内制御装置１０の構成について説明する。この案内制御装置１０は、制御部１１、及びデータ記録部１２を備えている。
【００２２】
制御部１１は、案内制御装置１０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る案内制御プログラムは、任意の記録媒体又はネットワークを介して案内制御装置１０にインストールされることで、制御部１１の各部を実質的に構成する。
【００２３】
この制御部１１は、機能概念的に、車両走行形態特定部１１ａ、及び案内制御部１１ｂを備えている。車両走行形態特定部１１ａは、自車両の進入領域と当該進入領域における他車両の走行形態とを特定する車両走行形態特定手段であり、特許請求の範囲における移動体移動形態特定手段に対応している。案内制御部１１ｂは、自車両の進入領域に関する案内情報の出力制御を行う案内制御手段である。これらの制御部１１の各構成要素によって実行される処理の詳細については後述する。
【００２４】
ここで、「他車両の走行形態」とは、道路上の通行方向に応じて異なる他車両の移動形態を意味している。また、「案内情報」とは、自車両の進入領域に関する情報であり、例えば、カメラ３０によって取得した自車両周辺の画像情報を案内情報とし、運転者に対してモニタ７０によって出力表示させることができる。この場合において、カメラ３０を用いて自車両周辺の複数方向について画像情報を取得している場合には、当該複数方向についての画像情報の任意の組合わせを案内情報とすることができる。以下、本実施の形態１においては、カメラ３０によって取得した画像情報を案内情報とし、モニタ７０によって出力表示させる場合を例に挙げて説明する。
【００２５】
データ記録部１２は、案内制御装置１０の動作に必要なプログラム及び各種のデータを記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００２６】
このデータ記録部１２は、地図情報データベース（以下データベースを「ＤＢ」と称する）１２ａ、及び駐車情報格納部１２ｂを備えている。地図情報ＤＢ１２ａは、地図情報を格納する地図情報格納手段である。「地図情報」とは、自車両の進入領域の特定や、当該進入領域における他車両の走行形態の特定に必要な情報であり、例えば、地図をモニタ７０に表示するための地図表示データ、交差点に関する交差点データ、及び道路データ等を含んで構成されている。この内、「道路データ」は、歩道の有無や横断歩道の位置に関する歩道情報、中央線の有無や位置に関する境界情報、車線数、及び通行方向等に関する情報を含むデータである。駐車情報格納部１２ｂは、駐車情報を格納する駐車情報格納手段である。駐車情報とは、自車両の駐車方向を特定するための情報であり、例えば、自車両が前向き駐車をしている場合には「ＯＮ」、後向き駐車をしている場合には「ＯＦＦ」となる前向き駐車フラグを用いることができる。
【００２７】
（構成−現在地検出処理部）
現在地検出処理部２０は、案内制御装置１０が取り付けられた車両（以下必要に応じて「自車両」）の現在位置を検出する現在位置検出手段である。具体的には、現在地検出処理部２０は、ＧＰＳ、地磁気センサ、距離センサ、又はジャイロセンサ（いずれも図示省略）の少なくとも一つを有し、現在の自車両の位置（座標）及び方位等を公知の方法にて検出する。
【００２８】
（構成−カメラ）
カメラ３０は、車両の周囲を撮影するための撮影手段であり、例えば車両の前後端部に配置されている。カメラ３０により取得された画像情報は、当該カメラ３０から制御部１１に出力される。このカメラ３０は、ＣＣＤセンサやＣＭＯＳセンサ等の公知の撮像素子、及び魚眼レンズやプリズム等の公知の光学系部品を用いて構成されている。図２は、カメラ３０を自車両の後端部に設置した場合における画角を例示した図であり、図２（ａ）は魚眼レンズを用いたカメラ３０の画角（以下「魚眼画角」）、図２（ｂ）はプリズムを用いたカメラ３０の画角（以下「プリズム画角」）を示している。図２（ａ）に示したように、魚眼画角は、自車両２の後進方向を中心として左右約１８０度の画角となる。一方、プリズム画角は、図２（ｂ）に示したように、自車両２の左右方向それぞれについての所定の画角となる。なお、図２はあくまで例示であり、自車両２の任意の位置に、任意の方向の画角を有するようにカメラ３０を配置することができる。
【００２９】
（構成−車輪速センサ）
図１において、車輪速センサ４０は、車輪の回転速度を検出し、当該検出値を制御部１１に出力するものであり、公知の車輪速センサ４０を用いることができる。
【００３０】
（構成−ステアリングセンサ）
ステアリングセンサ５０は、車両のステアリングホイールの操舵角を検出し、当該検出値を制御部１１に出力するものであり、公知のステアリングセンサ５０を用いることができる。
【００３１】
（構成−シフトポジションセンサ）
シフトポジションセンサ６０は、車両の変速機を操作するためのシフトレバーのポジションを検出し、当該検出値を制御部１１に出力するものであり、公知のシフトポジションセンサ６０を用いることができる。
【００３２】
（構成−モニタ）
モニタ７０は、案内制御部１１ｂによって出力制御された案内情報を表示するためのものであり、公知の液晶ディスプレイや有機ＥＬディスプレイの如きフラットパネルディスプレイ、又は車両のフロントガラスにホログラムを投影するホログラム装置等を使用することができる。
【００３３】
（処理）
このように構成される案内制御システム１によって実行される処理について説明する。案内制御システム１が実行する処理は、自車両２が駐車した際に実行される駐車処理と、駐車している自車両２が当該駐車している領域から退出する際に実行される退出処理とに大別される。これらの駐車処理と退出処理とについて、以下説明する。
【００３４】
ここで、各処理の前提として、自車両２は非走行領域に駐車し、当該非走行領域から退出して走行領域に進入するものとする。「非走行領域」とは、車両が走行せず駐車（あるいは一時的に停車）する領域をいい、例えば道路に面した駐車場の駐車スペースや、パーキングエリア等の大規模駐車場内における駐車スペース等が該当する。一方、「走行領域」とは、車両が走行する領域をいい、例えば道路や、パーキングエリア等の大規模駐車場内における車両の走行レーンが該当する。以下では、走行領域は道路であり、非走行領域は、歩道を挟んで又は挟まずに、当該道路に面した駐車スペースである場合を例に挙げて説明する。
【００３５】
（処理−駐車処理）
まず、駐車処理について説明する。図３は駐車処理を示したフローチャートである（以下の各処理の説明ではステップを「Ｓ」と略記する）。この駐車処理は、自車両２の走行開始後に自動的に起動される。走行開始後、車両走行形態特定部１１ａは、自車両２が駐車されたか否かを監視し（ＳＡ２）、駐車される迄、現在地検出処理部２０を介して自車両位置を継続的に取得する（ＳＡ１）。ここで、自車両２が駐車されたか否かの判断基準は任意であり、例えば、車輪速センサ４０を介して取得した車輪の回転速度が０であり、シフトポジションセンサ６０を介して取得したシフトレバーのポジションがパーキングポジションとなっており、且つ、パーキングブレーキが掛けられている場合に、自車両２が駐車されたものと判定する。
【００３６】
自車両２が駐車されたものと判定した場合（ＳＡ２、Ｙｅｓ）、車両走行形態特定部１１ａは、自車両２が前向き駐車されたか否かを判定する（ＳＡ３）。ここで、「前向き駐車」とは、駐車スペースに対して自車両２が前進しながら進入され駐車された場合をいう。一方、駐車スペースに対して自車両２が後進しながら進入され駐車された場合は「後向き駐車」と称する。
【００３７】
なお、自車両２が前向き駐車された否かの判定基準は任意であり、例えば、上記ＳＡ２において駐車判定を行う直前のシフトレバーのポジションが、前進用ポジション（ドライブ、セカンド等）であった場合には前向き駐車されたものと判定し、後進用ポジション（リバース）であった場合には後向き駐車されたものと判定する。また、ＳＡ２において駐車判定を行うまでに取得した自車両位置に基づく当該自車両２の移動軌跡によって、自車両２が前進しながら前向き駐車されたのか、あるいは切返し操作等を行った後に後進しながら後向き駐車されたのかを判定してもよい。あるいは、前向き駐車又は後向き駐車の何れに該当するかの選択を要求する旨の表示をモニタ７０に出力させ、所定の操作手段を介して運転者に選択させてもよい。
【００３８】
ＳＡ３の判定の結果、自車両２が前向き駐車されたものと判定した場合（ＳＡ３、Ｙｅｓ）、車両走行形態特定部１１ａは、駐車情報格納部１２ｂにおける前向き駐車フラグに「ＯＮ」を格納する（ＳＡ４）。一方、自車両２が前向き駐車されなかったものと判定した場合（後向き駐車されたものと判定した場合）（ＳＡ３、Ｎｏ）、車両走行形態特定部１１ａは、駐車情報格納部１２ｂにおける前向き駐車フラグに「ＯＦＦ」を格納する（ＳＡ５）。
【００３９】
（処理−退出処理）
次に、退出処理について説明する。図４及び図５は退出処理を示したフローチャートである。図６から図９は、退出処理実行時における、自車両２と駐車スペース及び道路との位置関係を、車両の後端部に設置したカメラ３０の画角と共に示した平面図であり、図６及び図７は画角がプリズム画角の場合、図８及び図９は画角が魚眼画角の場合を示す。なお、カメラ３０の画角は、図６及び図７においては三角形、図８及び図９においては半円形にて表されており、これらの三角形及び半円形の内部においてハッチングされている領域は、案内制御部１１ｂの出力制御によって、案内情報が当該ハッチング領域に対応する画角の範囲に関する画像情報に切替えられていることを示している。
【００４０】
この退出処理において、案内制御システム１を起動させるタイミングは任意であり、例えば、エンジンが始動された場合に案内制御システム１が起動されるようにすることができる。案内制御システム１が起動すると、図４に示すように、車両走行形態特定部１１ａは駐車情報格納部１２ｂを参照し、前向き駐車フラグが「ＯＮ」であるか否かを判定する（ＳＢ１）。前向き駐車フラグが「ＯＮ」でなかった場合（前向き駐車フラグが「ＯＦＦ」であった場合）（ＳＢ１、Ｎｏ）、車両走行形態特定部１１ａは、自車両２の状態が後向き駐車であり、前方に退出することから、案内情報の出力制御を行う必要はないものと判断し、退出処理を終了する。なお、自車両２が後向き駐車の状態から後方に退出する場合には、前向き駐車フラグの如何に関らず、以下のＳＢ２に処理を進めることもできる。
【００４１】
一方、前向き駐車フラグが「ＯＮ」であった場合（ＳＢ１、Ｙｅｓ）、車両走行形態特定部１１ａは、シフトレバーのポジションがリバースとなるまで待機する（ＳＢ２、Ｎｏ）。シフトレバーのポジションがリバースとなった場合（ＳＢ２、Ｙｅｓ）、自車両２が前向き駐車の状態から後方に退出すると判断し、現在地検出処理部２０を介して自車両２の位置を取得する（ＳＢ３）。さらに、地図情報ＤＢ１２ａに格納されている地図情報に基づいて駐車スペースの位置を特定し、当該特定した駐車スペースの位置と、ＳＢ３で取得した自車両２の位置との関係に基づき、車両走行形態特定部１１ａは自車両２が駐車スペース内に位置しているか否かを判定する（ＳＢ４）。このＳＢ４における自車両２の位置の判定の基準は任意であり、例えば自車両２の車両後端部や後輪車軸中央等を自車両２の位置として判定を行わせることができる。例えばＧＰＳ受信機の位置を基準として自車両２の位置を取得する場合、当該ＧＰＳ受信機の位置と自車両２の後端部や後輪車軸中央との間の距離を補正値として位置補正することで、自車両２の車両後端部や後輪車軸中央等を自車両２の位置とすることができる。
【００４２】
自車両２が駐車スペース内に位置していると判定した場合（ＳＢ４、Ｙｅｓ）（図６（ａ）又は図８（ａ）の状態）、車両走行形態特定部１１ａは、地図情報ＤＢ１２ａに格納されている歩道情報を参照し、例えば自車両２の進行方向における歩道の有無を判断する（ＳＢ５）。ここで、「進行方向」とは、自車両２が進むと推定される方向であり、ステアリングセンサ５０によって検出される自車両２の操舵角と、シフトポジションセンサ６０によって検出される自車両２のシフトポジションとに基づいて特定される。ＳＢ５の判断の結果、歩道が有ると判定した場合（ＳＢ５、Ｙｅｓ）、車両走行形態特定部１１ａは、当該歩道の両側端のうち駐車スペース側の境界と自車両２との距離を特定する（ＳＢ６）。続いて案内制御部１１ｂは、車両走行形態特定部１１ａによって特定された距離が予め設定されている閾値（所定距離）以下となるまで待機する（ＳＢ７、Ｎｏ）。車両走行形態特定部１１ａによって特定された距離が閾値（所定距離）以下となった場合（ＳＢ７、Ｙｅｓ）、案内制御部１１ｂは自車両２が歩道に接近したものと判断し、当該歩道を通行し自車両２の左右両側から接近する歩行者や自転車等に運転者が注意を払うことができるように、案内情報としてモニタ７０に表示させる画像情報の出力制御を切替えて、自車両２の左右両方向の画像情報を出力表示させる（ＳＢ８）。
【００４３】
例えば、魚眼画角を有するカメラ３０が設置されている場合、案内制御部１１ｂは、自車両２の左右両方向の画角についてカメラ３０によって取得され制御部１１に入力された画像情報をモニタ７０に出力させるように出力制御を行う（図６（ｂ）の状態）。また、プリズム画角を有するカメラ３０が自車両２に設置されている場合、案内制御部１１ｂは、自車両２の左右両方向を含む画角全範囲についてカメラ３０によって取得され制御部１１に入力された画像情報をモニタ７０に出力させるように出力制御を行う（図８（ｂ）の状態）。これにより、自車両２の左右両側から歩道を介して接近する歩行者や自転車等に運転者が注意を払うことができる。
【００４４】
一方、図５のＳＢ５において歩道が無いと判定した場合（ＳＢ５、Ｎｏ）、車両走行形態特定部１１ａは、自車両２の進入領域、及び当該進入領域における他車両の走行形態を特定する（ＳＢ９）。具体的には、車両走行形態特定部１１ａは、自車両２の位置を特定し、当該特定した位置と自車両２の進行方向とから自車両２の進入領域を特定する。ここで、「進入領域」とは、自車両２が進入すると推定される領域であり、例えば進行方向における自車両２の直近の領域（例えば、自車両２から道路の車線幅に対応する範囲内等）である。
【００４５】
さらに、車両走行形態特定部１１ａは地図情報ＤＢ１２ａに格納されている道路データを参照し、自車両２の進入領域となっている領域における道路の通行方向等の情報に応じて、当該進入領域における他車両の走行形態を特定する。例えば、図６（ｃ）や図８（ｃ）に示した例では、自車両２が進入する道路における通行方向は、図中において矢印で示したように左から右に向かう方向なので、自車両２の進入領域における他車両の走行形態も、図中の左から右に向かう走行形態となる。
【００４６】
車両走行形態特定部１１ａによって自車両２の進入領域における他車両の走行形態が特定されると、案内制御部１１ｂは、当該特定された他車両の走行形態に応じた案内情報の出力制御を行う（ＳＢ１０）。この出力制御の内容は任意であるが、例えば、案内情報の出力制御を、自車両２の左右方向のうち他車両が自車両２の進入領域に対して接近する方向に対向する方向に関する出力制御に切替えさせることができる。例えば、図６（ｃ）や図８（ｃ）に示した例では、他車両は自車両２の進入領域に対して図中の左から右に向かう方向に接近するので、案内制御部１１ｂは、当該他車両の接近方向に対向する方向である自車両の左後方の画角についてカメラ３０によって取得され制御部１１に入力された画像情報をモニタ７０に出力させるように出力制御を行う。これにより、自車両２の左側から接近する他車両等に運転者が注意を払うことができる。なお、案内制御部１１ｂによる画像情報の出力制御方法は任意であり、例えば他車両の接近方向に対向する方向に関する画像情報を、他の方向に関する画像情報よりも大きく表示させたり、フレームで囲み表示させたりするなど、強調してモニタ７０に表示させてもよい。また、他車両の接近方向に対向する方向とは異なる方向に関する画像情報のコントラストを低下させることで、相対的に他車両の接近方向に対向する方向に関する画像情報が強調されるようにしてもよい。あるいは、当該他車両の接近方向に対向する方向に関する画像情報のみを表示させてもよい。また、魚眼レンズを用いるカメラ３０を使用している場合には、図８（ｃ）に示したように、後進方向の画角（真後方向の画角）について取得された画像情報を併せてモニタ７０に表示させるように出力制御しても良い。
【００４７】
図４のＳＢ４において自車両２が駐車スペース内に位置していないと判定した場合（ＳＢ４、Ｎｏ）、車両走行形態特定部１１ａは、ＳＢ３で取得した自車両２の位置と、地図情報ＤＢ１２ａに格納されている地図情報とに応じて、自車両２が走行領域である道路に進入しているか否かを判定する（ＳＢ１１）。このＳＢ１１における判定についても、ＳＢ４と同様に、自車両２の車両後端部等を自車両２の位置として判定を行わせることができる。
【００４８】
その結果、自車両２が道路に進入しているものと判定された場合（ＳＢ１１、Ｙｅｓ）（例えば図６（ｄ）または図８（ｄ）の状態）、車両走行形態特定部１１ａは、自車両２が進入している道路とは他車両の走行形態が相異する他の領域に自車両２が進入するか否かを判定する（ＳＢ１２）。「他車両の走行形態が相異する他の領域」とは、例えば、自車両２が進入している車線に対する対向車線が該当する。具体的には、車両走行形態特定部１１ａは、地図情報ＤＢ１２ａを参照し、道路データに含まれている境界情報に基づき道路の中央線の位置を特定すると共に、現在地検出処理部２０を介して自車両２の位置を特定し、当該特定した位置に基づき、自車両２と中央線との距離を算出する。さらに、ステアリングセンサ５０を介して取得した操舵角に基づき自車両２の予想進路を特定する。そして、自車両２と中央線との距離、及び自車両２の予想進路に応じて、自車両２が中央線を越えて対向車線に進入するか否かを判定する。
【００４９】
その結果、自車両２が中央線を越えて対向車線に進入すると車両走行形態特定部１１ａが判定した場合、例えば自車両２と中央線との距離が所定の閾値（所定距離）未満であり、且つ、自車両２の予想進路が中央線を越えて対向車線に至っている場合には（ＳＢ１２、Ｙｅｓ）（例えば図６（ｈ）または図８（ｈ）の状態）、案内制御部１１ｂは、対向車線における他車両の接近方向に対向する方向に関する画像情報をモニタ７０に出力させるように、案内情報の出力制御を行う（ＳＢ１３）。例えば、図６（ｄ）や図８（ｄ）に示した例では、他車両は自車両２の進入領域に対して図中の左から右に向かう方向に接近するので、案内制御部１１ｂは、当該他車両の接近方向に対向する方向である自車両の左後方の画角についてカメラ３０によって取得され制御部１１に入力された画像情報をモニタ７０に出力させているが、自車両２が対向車線に進入すると判定された場合には、図６（ｈ）や図８（ｈ）に示したように、対向車線における他車両の接近方向に対向する方向である自車両の右後方の画角についてカメラ３０によって取得され制御部１１に入力された画像情報をモニタ７０に出力させるように出力制御を行う。
【００５０】
図５のＳＢ８、ＳＢ１０、若しくはＳＢ１３の処理が実行された後、あるいは、ＳＢ１１の処理において自車両２が道路に進入していないものと判定された場合（ＳＢ１１、Ｎｏ）、又はＳＢ１２の処理において自車両２が中央線を越えないと車両走行形態特定部１１ａが判定した場合（ＳＢ１２、Ｎｏ）（例えば図７（ｅ）または図９（ｅ）の状態）、車両走行形態特定部１１ａは、駐車スペースからの退出が完了したか否かを判定する（ＳＢ１４）。当該判定の具体的な基準は任意であり、現在地検出処理部２０を介して取得した自車両２の現在位置及び自車両２の向きと、地図情報ＤＢ１２ａに格納されている道路データに基づき特定した、自車両２の現在位置における道路の通行方向との間の角度が所定値未満となった場合に（例えば、図７（ｆ）や図９（ｆ）の状態から図７（ｇ）や図９（ｇ）の状態になった場合、あるいは、図７（ｉ）（ｊ）や図９（ｉ）（ｊ）の状態から図７（ｋ）や図９（ｋ）の状態になった場合）、駐車スペースからの退出が完了したものと判定させることができる。
【００５１】
駐車スペースからの退出が完了していないものと判定された場合（ＳＢ１４、Ｎｏ）、車両走行形態特定部１１ａはＳＢ３に戻り、自車両２の現在位置を再度取得する（ＳＢ３）。一方、駐車スペースからの退出が完了したものと判定された場合（ＳＢ１４、Ｙｅｓ）、退出処理を終了する。
【００５２】
（効果）
このように本実施の形態１によれば、自車両２の進入領域における他車両の走行形態に応じた案内情報の出力制御を行うので、他車両の走行形態に対応する情報を正確かつ確実に運転者等に案内することができる。
【００５３】
また、車両走行形態特定部１１ａが、中央線の位置と自車両２の位置とに応じて、自車両２が中央線を越えて対向車線に進入するか否かを判定し、当該判定結果に基づいて案内制御部１１ｂが案内情報の出力制御を行うので、自車両２が対向車線に進入する前後で他車両の走行形態が変動する場合においても、当該他車両の走行形態に対応する情報を明確に運転者等に案内することができる。
【００５４】
また、車両走行形態特定部１１ａは、地図情報ＤＢ１２ａに格納されている境界情報に基づき特定される境界としての中央線の位置と自車両２の位置とに応じて、自車両２が中央線を越えるか否かを判定するので、他車両の走行形態が変動する場所を正確に特定することができ、他車両の走行形態に対応する情報を正確に運転者等に案内することができる。さらに、自車両２が中央線を越える前に案内情報の出力制御を行うので、他車両の走行形態が変動する前に、当該他車両の走行形態に対応する情報を運転者等に的確に案内することができる。
【００５５】
また、車両走行形態特定部１１ａは、自車両２と中央線との距離が所定の閾値（所定距離）未満となった場合に案内情報の出力制御を行うので、他車両の走行形態が変動する前に、確実に他車両の走行形態に対応する情報を運転者等に案内することができる。
【００５６】
また、案内情報を、自車両２周辺の画像情報とし、自車両２の進入領域に関する当該画像情報を強調表示させるので、当該画像情報に基づき他車両の走行形態に対応する案内情報を運転者に確実に把握させることができる。
【００５７】
また、車両走行形態特定部１１ａは、自車両２が駐車スペースに位置し、進入領域が道路に位置していると特定した場合において、他車両の接近方向を特定するので、自車両２が道路に進入する場合に他車両の接近方向に対応する情報を正確に運転者等に案内することができる。
【００５８】
また、車両走行形態特定部１１ａは、自車両２が前向き駐車していることを特定し、且つ、道路に対して後進することを特定した場合に他車両の接近方向を特定するので、特に他車両の接近方向に対応する案内情報が必要となる後向き退出時に、運転者等に必要な情報を案内することができる。
【００５９】
また、案内制御部１１ｂは、案内情報の出力制御を、自車両２の左右方向のうち、車両走行形態特定部１１ａによって特定された他車両の接近方向に対向する方向に関する出力制御に切替えるので、道路進入時に自車両２の進入領域に接近する他車両等に運転者が注意を払うように、案内情報を出力させることができる。
【００６０】
また、案内制御部１１ｂは、車両走行形態特定部１１ａによって自車両２が歩道に接近したものと判断された場合、案内情報の出力制御を自車両２の左右両方向に関する出力制御に切替えるので、自車両２の左右両側から接近する歩行者や自転車等に運転者が注意を払うように促すことができる。
【００６１】
〔実施の形態２〕
次に、実施の形態２について説明する。この形態は、自車両２の進行方向の画像情報に基づき特定される境界の位置と、自車両２の位置との位置関係に応じて、自車両２の進入領域となる領域を特定する形態である。なお、実施の形態２及びそれ以降の実施の形態の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００６２】
（構成−データ記録部）
まず、本実施の形態２に係る案内制御システムの構成について説明する。図１０は実施の形態２に係る案内制御システムを例示するブロック図である。図１０に示すように、データ記録部１２は画素位置ＤＢ１２ｃを備えている。画素位置ＤＢ１２ｃは、当該カメラ３０によって取得された画像情報における各画素を一意に識別する識別情報と、カメラ３０によって自車両２の後方の路面が撮影されている場合において当該路面における各画素に対応する位置までの自車両２からの距離を特定する距離情報とを、相互に関連付けて格納している。
【００６３】
また、データ記録部１２が備える地図情報ＤＢ１２ａは、道路データの一部として、車線を区分するために路面上にペイント表示されている区画線（実線、破線、二重線等）の形状、色彩、輝度等の特徴を特定する道路特徴情報を格納している。
【００６４】
（構成−カメラ）
本実施の形態２に係る案内制御システム１が備えるカメラ３０の構成は実施の形態１における構成と同様であるが、本実施の形態２においては、特に自車両２の後進方向の画像を取得するため、自車両２の左右方向についての画角の他、後進方向についての画角を有するようにカメラ３０が配置されている（図示省略）。
【００６５】
（処理−退出処理）
次に、本実施の形態２に係る案内制御システム１によって実行される退出処理について説明する。本実施の形態２に係る退出処理における各処理は、図４及び図５に示した実施の形態１の案内制御処理におけるＳＢ１からＳＢ１４までの各処理と同様であるので（ただしＳＢ１２における具体的な処理内容を除く）、その図示を省略する。
【００６６】
図５のＳＢ１１において自車両２が道路に進入しているものと判定された場合（ＳＢ１１、Ｙｅｓ）（例えば図６（ｄ）または図７（ｄ）の状態）、車両走行形態特定部１１ａは、自車両２が進入している道路とは他車両の走行形態が異なる領域に自車両２が進入するか否かを判定する（ＳＢ１２）。
【００６７】
具体的には、車両走行形態特定部１１ａは、カメラ３０によって取得され制御部１１に入力された自車両２の進行方向の画像情報に基づき中央線を認識すると共に、当該中央線と自車両２との間の距離を算出する。すなわち、車両走行形態特定部１１ａは、カメラ３０によって取得した画像情報の中から、地図情報ＤＢ１２ａに格納されている道路特徴情報のうち中央線に関するペイント表示の特徴データと整合性の高い画像候補を抽出し、中央線のペイント表示の画像として認識する。このようにして認識した中央線を示す各画素が画像情報の全体に占める位置に基づいて画素位置ＤＢ１２ｃを参照し、自車両２と中央線との距離を特定することができる。さらに、ステアリングセンサ５０を介して取得した操舵角に基づき自車両２の予想進路を特定し、自車両２と中央線との距離、及び自車両２の予想進路に応じて、自車両２が中央線を越えて対向車線に進入するか否かを判定する。
【００６８】
（効果）
このように実施の形態２によれば、実施の形態１の全部又は一部と同様の効果に加えて、道路データに中央線の位置を特定する境界情報が含まれていない場合でも、自車両２が中央線を越えて対向車線に進入するか否かを確実に判定することができる。
【００６９】
〔実施の形態３〕
次に、実施の形態３について説明する。この形態は、道路上にて交差点に進入する場合において、他車両の走行形態に応じた案内情報の出力制御を行う形態である。
【００７０】
（交差点処理）
本実施の形態３に係る案内制御システム１によって実行される交差点処理について説明する。図１１は交差点処理を示したフローチャートである。この交差点処理は、自車両２が交差点に進入する場合において、自車両２の進入領域における他車両の走行形態を特定し、当該走行形態に応じた案内情報の出力制御を行う処理である。
【００７１】
ここで、交差点処理の前提として、自車両２は道路を走行中であり、複数の道路が交差する交差点に進入するものとする。図１２及び１３は、交差点処理実行時における、自車両２と交差点との位置関係を示した平面図であり、車両の前端部にプリズムを用いたカメラ３０を設置した場合における当該カメラ３０の画角を併記した図である。なお、実施の形態１と同様に、魚眼レンズを用いたカメラ３０を利用することも可能である（図示省略）。
【００７２】
この交差点処理において、案内制御システム１を起動させるタイミングは任意であり、例えば、道路走行中に現在地検出処理部２０を介して自車両２が交差点に接近していることが検出された場合において、案内制御システム１が起動されるようにすることができる。案内制御システム１が起動すると、図１１に示すように、車両走行形態特定部１１ａは、現在地検出処理部２０を介して自車両２の位置を取得する（ＳＣ１）。ここで取得した自車両２の位置と、地図情報ＤＢ１２ａに格納されている地図情報とに応じて、車両走行形態特定部１１ａは自車両２が交差点外に位置しているか否かを判定する（ＳＣ２）。このＳＣ２における判定の基準は任意であり、例えば自車両２の車両前端部や前輪車軸中央等を自車両２の位置として判定を行わせることができる。
【００７３】
自車両２が交差点外に位置していると判定した場合（ＳＣ２、Ｙｅｓ）（図１２（ａ）の状態）、車両走行形態特定部１１ａは、地図情報ＤＢ１２ａに格納されている歩道情報を参照し、自車両２の進行方向における横断歩道の有無を判断する（ＳＣ３）。その結果、歩道が有ると判定した場合（ＳＣ３、Ｙｅｓ）、車両走行形態特定部１１ａは、当該横断歩道の境界（側端）と自車両２との距離を特定する（ＳＣ４）。続いて案内制御部１１ｂは、車両走行形態特定部１１ａによって特定された距離が予め設定されている閾値（所定距離）以下となるまで待機し（ＳＣ５、Ｎｏ）、閾値（所定距離）以下となった場合（ＳＣ５、Ｙｅｓ）、自車両２が横断歩道に接近したものと判断し、案内情報としてモニタ７０に表示させる画像情報の出力制御を切替えて、自車両２の左右両方向の画像情報を出力表示させる（ＳＣ６）（図１２（ｂ）の状態）。
【００７４】
一方、ＳＣ３において横断歩道が無いと判定した場合（ＳＣ３、Ｎｏ）、車両走行形態特定部１１ａは、自車両２の進入領域、及び当該進入領域における他車両の走行形態を特定する（ＳＣ７）。例えば、図１２（ｃ）に示した例では、自車両２が進入する交差点において、自車両２が走行する道路と交差する道路における通行方向は、図中の右から左に向かう方向なので、自車両２の進入領域における他車両の走行形態も、図中の右から左に向かう方向となる。車両走行形態特定部１１ａによって自車両２の進入領域における他車両の走行形態が特定されると、案内制御部１１ｂは、当該特定された他車両の走行形態に応じた案内情報の出力制御を行う（ＳＣ８）。すなわち、案内情報の出力制御を、自車両の右前方に関する出力制御に切替える。
【００７５】
図１１のＳＣ２において、自車両２が交差点外に位置していないと判定した場合（ＳＣ２、Ｎｏ）、車両走行形態特定部１１ａは、交差点内において自車両２の現在位置とは他車両の走行形態が異なる他の領域に自車両２が進入するか否かを判定する（ＳＣ９）。具体的には、車両走行形態特定部１１ａは、地図情報ＤＢ１２ａを参照し、道路データに含まれている境界情報に基づき交差する各道路の中央線の位置を特定すると共に、現在地検出処理部２０を介して自車両２の位置を特定し、当該特定した位置に基づき、自車両２と各中央線との距離を算出する。さらに、ステアリングセンサ５０を介して取得した操舵角に基づき自車両２の予想進路を特定する。そして、自車両２と中央線との距離、及び自車両２の予想進路に応じて、自車両２が直進して交差する道路の中央線を越えるのか（図１３（ｄ））、右折して交差する道路及び走行中の道路の中央線を越えるのか（図１３（ｅ））、あるいは左折して何れの道路の中央線も越えないのか（図１３（ｆ））を判定する。
【００７６】
その結果、自車両２が直進、あるいは右折をすることにより、交差する道路又は走行中の道路の中央線を越えると車両走行形態特定部１１ａが判定した場合（ＳＣ９、Ｙｅｓ）（例えば図１３（ｄ）（ｅ）の状態）、案内制御部１１ｂは、他車両の接近方向に対向する方向の画像情報をモニタ７０に出力させるように、案内情報の出力制御を行う（ＳＣ１０）。例えば、図１３（ｄ）に示した例では、他車両は自車両２の進入領域に対して図中の左から右に向かう方向に接近するので、案内制御部１１ｂは、当該他車両の接近方向に対向する方向である自車両の左前方の画角についてカメラ３０によって取得され制御部１１に入力された画像情報をモニタ７０に出力させている。また図１３（ｅ）に示した例では、他車両は自車両２の進入領域に対して図中の上から下に向かう方向に接近するので、案内制御部１１ｂは、当該他車両の接近方向に対向する方向である自車両の左前方の画角についてカメラ３０によって取得され制御部１１に入力された画像情報をモニタ７０に出力させている。
【００７７】
ＳＣ６、ＳＣ８、若しくはＳＣ１０の処理が実行された後、又はＳＣ９の処理において自車両２が左折し中央線を越えないと車両走行形態特定部１１ａが判定した場合（ＳＣ９、Ｎｏ）（例えば図１３（ｆ）の状態）、車両走行形態特定部１１ａは、自車両２が交差点を通過したか否かを判定する（ＳＣ１１）。当該判定の具体的な基準は任意であり、例えば、現在地検出処理部２０を介して取得した自車両２の現在位置及び交差点の位置に基づき、交差点が自車両２の後方に位置している場合に、交差点を通過したものと判定させることができる。
【００７８】
その結果、交差点を通過していないものと判定された場合（ＳＣ１１、Ｎｏ）、車両走行形態特定部１１ａはＳＣ１に戻り、自車両２の現在位置を再度取得する（ＳＣ１）。一方、交差点を通過したものと判定された場合（ＳＣ１１、Ｙｅｓ）、交差点処理は終了する。
【００７９】
（効果）
このように本実施の形態３によれば、自車両２が交差点に進入する場合においても、自車両２の進入領域における他車両の走行形態に応じた案内情報の出力制御を行うので、他車両の走行形態に対応する情報を正確かつ確実に運転者等に案内することができる。
【００８０】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８１】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００８２】
（各実施の形態の相互の関係について）
上記説明した各実施の形態は、任意の組み合わせで相互に組み合わせることができる。例えば、実施の形態１と実施の形態２を組み合わせて、地図情報ＤＢ１２ａに格納されている境界情報に基づき特定される中央線の位置と自車両２の位置とに基づき中央線と自車両２との距離を算出し、更に画像情報に基づいて認識した中央線の画素位置を用いて、中央線と自車両２との距離を補正するように構成することもできる。
【００８３】
（案内制御部について）
案内制御部１１ｂは、案内情報の出力制御を、自車両２の前後方向のうち他車両の接近方向に対向する方向に関する出力制御に切替えさせることができる。例えば、自車両２が道路上に縦列駐車をしている場合において、車両走行形態特定部１１ａによって自車両２の進入領域となる道路に対する他車両の接近方向が後方から自車両２に向かう方向であると特定された場合、案内制御部１１ｂが、出力制御を自車両２の後方に向かう方向に関する出力制御に切替えるように構成することができる。
【図面の簡単な説明】
【００８４】
【図１】実施の形態１に係る案内制御システムを例示するブロック図である。
【図２】カメラを車両の後端部に設置した場合における画角を例示した図であり、図２（ａ）は魚眼画角、図２（ｂ）はプリズム画角を示した図である。
【図３】駐車処理を示したフローチャートである。
【図４】退出処理を示したフローチャートである。
【図５】退出処理を示したフローチャートである。
【図６】プリズム画角の場合における、自車両と駐車スペース及び道路との位置関係を、車両の後端部に設置したカメラの画角と共に示した平面図である。
【図７】プリズム画角の場合における、自車両と駐車スペース及び道路との位置関係を、車両の後端部に設置したカメラの画角と共に示した平面図である。
【図８】魚眼画角の場合における、自車両と駐車スペース及び道路との位置関係を、車両の後端部に設置したカメラの画角と共に示した平面図である。
【図９】魚眼画角の場合における、自車両と駐車スペース及び道路との位置関係を、車両の後端部に設置したカメラの画角と共に示した平面図である。
【図１０】実施の形態２に係る案内制御システムを例示するブロック図である。
【図１１】交差点処理を示したフローチャートである。
【図１２】交差点処理実行時における、自車両と交差点との位置関係を示した平面図である。
【図１３】交差点処理実行時における、自車両と交差点との位置関係を示した平面図である。
【符号の説明】
【００８５】
１  案内制御システム
２  自車両
１０  案内制御装置
１１  制御部
１１ａ  車両走行形態特定部
１１ｂ  案内制御部
１２  データ記録部
１２ａ  地図情報ＤＢ
１２ｂ  駐車情報格納部
１２ｃ  画素位置ＤＢ
２０  現在地検出処理部
３０  カメラ
４０  車輪速センサ
５０  ステアリングセンサ
６０  シフトポジションセンサ
７０  モニタ
【図１】
2010000969.tif 000003
【図２】
2010000969.tif 000004
【図３】
2010000969.tif 000005
【図４】
2010000969.tif 000006
【図５】
2010000969.tif 000007
【図６】
2010000969.tif 000008
【図７】
2010000969.tif 000009
【図８】
2010000969.tif 000010
【図９】
2010000969.tif 000011
【図１０】
2010000969.tif 000012
【図１１】
2010000969.tif 000013
【図１２】
2010000969.tif 000014
【図１３】
2010000969.tif 000015